【事件の表示】
　平成　５年特許願第２９４４０３号「情報機器」拒絶査定に対する審判事件［平成　７年　５月１９日出願公開、特開平　７−１３０１５０］について、次のとおり審決する。
【結　論】
　本件審判の請求は、成り立たない。
【理　由】
［１］手続の経緯、本願発明
　本願は、平成５年１０月２９日の出願であって、その請求項１ないし３０に係る発明は、平成１４年３月１１日付け手続補正書により補正された明細書および図面の記載からみて、特許請求の範囲の請求項１ないし３０に記載されたとおりのものと認められるところ、その請求項１に記載された発明（以下、「本願発明」という。）は、次のとおりである。
　「【請求項１】　受信したメディア情報を記録媒体に記録すると共に該記録媒体に記録されたメディア情報を読み取って再生し、その再生されたメディア情報を表示装置等に出力する情報機器であって、
　メディア情報の記録と読み取りを行うヘッド部と、
　上記ヘッド部を読み取り位置または記録位置に移動させる位置付け部と、
　記録開始信号の検出によりメディア情報を所定の記録開始位置からバッファメモリを介して上記ヘッド部により上記記録媒体に記録させる記録制御部と、
　メディア情報の上記記録媒体への記録中に再生開始信号を検出すると、バッファメモリへの記録を中断することなく上記ヘッド部をその時の記録位置から上記記録開始位置に移動させて記録済みのメディア情報の読み取りをバッファメモリを介して上記ヘッド部により実行させると共に、この読み取りと並行して上記記録媒体へのメディア情報の記録を継続させる制御手段と、
　を備えたことを特徴とする情報機器。」
　
［２］引用例に記載された発明
　これに対して、原査定の拒絶の理由に引用された特開平４−１２３３６６号公報（平成４年４月２３日出願公開、以下「引用例１」という。）には、「テレビ信号の記録・再生装置」に関して、
（１−１）「テレビ信号の受信部から入力される映像および音声信号を記録し、記録した信号を再生してテレビジョンの受像部およびスピーカに出力するテレビ信号の記録・再生装置であって、
　一定容量をもつエンドレステープやメモリなどの記録媒体を、上記映像および音声信号が入力される記録ヘッド手段から、上記受像部およびスピーカに再生信号を出力する再生ヘッド手段に向けて循環送給して記録、再生を行なう記録・再生部と、
　テレビジョンから離れる視聴者の指示に基づいて、上記記録・再生部の記録動作を開始させる記録指令手段と、
　テレビジョンに戻った視聴者の指示に基づいて、上記記録ヘッド手段により記録された映像および音声信号を記録当初から再生するように、上記記録・再生部の再生動作を開始させる再生指令手段と、
　上記記録媒体を介する映像および音声信号の入出力が不要になったとき視聴者の指示に基づいて、上記記録・再生部の動作を停止させる停止指令手段を備えたことを特徴とするテレビ信号の記録・再生装置。」（特許請求の範囲）が記載され、より具体的には、
（１−２）「記録ヘッド手段は動作し続けており、一巡した記録媒体に新たな放映情報を次々に記録し、以後再生ヘッド手段も再生動作を続行するから、戻ってきた視聴者は、テレビジョンを離れた時点以降の放映情報を、一定時間の放映情報を更新しつつ貯える上記記録媒体を介してテレビジョンから連続して鑑賞することができる。」（公報２頁右下欄１２行〜１８行）、
（１−３）「なお、上記実施例では、エンドレスのビデオテープ１０をもつ記録・再生機構９を用いたが、記録・再生部として、一定容量のビデオディスクを回転駆動しつつ、消去を兼ねる記録ピックアップおよび再生ピックアップを中座時間分の間隔をおいてディスク径方向にＣＰＵによりエンドレス方式で駆動するビデオディスクレコーダを用いてもよい。このようにすれば、中座時間に応じて記録媒体の記録・再生領域をフレキシブルに増減でき、戻ってからの待ち時間を零にできるので有利である。」（公報５頁右上欄１９行〜左下欄８行）と記載されている。
　したがって、引用例１には、「テレビ信号の受信部から入力される映像および音声信号を記録し、記録した信号を再生してテレビジョンの受像部およびスピーカに出力するテレビ信号の記録・再生装置であって、記録・再生部として、一定容量のビデオディスクを回転駆動しつつ、消去を兼ねる記録ピックアップおよび再生ピックアップを中座時間分の間隔をおいてディスク径方向にＣＰＵによりエンドレス方式で駆動するビデオディスクレコーダを備えるものであり、テレビジョンから離れる視聴者の指示に基づいて、上記記録・再生部の記録動作を開始させる記録指令手段と、テレビジョンに戻った視聴者の指示に基づいて、記録ピックアップにより記録された映像および音声信号を記録当初から再生するように、上記記録・再生部の再生動作を開始させる再生指令手段とを備えたテレビ信号の記録・再生装置」が記載されている。
　また、同じく引用された特開平５−１５１７５８号公報（平成５年６月１８日出願公開、以下「引用例２」という。）には、「情報記録再生装置」に関して、
（２−１）「【発明が解決しようとする課題】　しかしながら、上記書き換え可能ディスクを用いたディスク記録再生装置においても、従来の一般的な民生用情報記録再生装置であるコンパクトカセット等を用いたテープレコーダと同様に、録音動作時は録音しかできず、又、再生動作時は再生専用となる単一処理装置であるため、録音動作中に別の目的で同時再生を行ったり、再生動作中に別の目的で同時録音を行ったりすることはできない。」（公報段落１２）、
（２−２）「【作用】　本発明に係る情報記録再生装置では、記録媒体から再生されたオーディオ情報が第１の転送速度で第１のメモリに記憶され、第１のメモリに記憶されたオーディオ情報が逐次第２の転送速度で読み出されてオーディオ再生されると共に、外部より入力されるオーディオ情報が第２の転送速度で第２のメモリに逐次記憶され、第２のメモリに記憶されたオーディオ情報が第１の転送速度で読み出されて記録媒体上に記録され、更に、前記再生動作と記録動作が交互に繰り返し行われるため、オーディオ再生を行いながら、同時に録音動作が実施される。」（公報段落１７）、
（２−３）「本実施例に係る情報記録再生装置は前記の光磁気ディスク（１）を支持して回転させるスピンドルモータ（４）と、記録及び再生時に光磁気ディスク１にレーザ光を照射する光ヘッド（３）と、記録時に光磁気ディスク（１）に磁界を印加するコイル（２４）を備えている。」（公報段落３０）
（２−４）「コントローラ（１０）は操作部（１３）を介してユーザーの記録再生指示等を受けると共に、記録再生に拘わる曲番号、時間情報等を表示部（１２）に逐次表示するようになっている。又、絶対アドレス検出回路（８）からの絶対アドレス情報（即ちセクタ値）を受けてディスク上の光ヘッド（３）の位置を認識すると共に、図示しない光ヘッド移動機構を用いて光ヘッドを所望の位置へ移動させるアクセス機能を有する。（中略）第１バッファメモリ（２１）及び第２バッファメモリ（１４）への圧縮オーディオ情報ブロック書き込み，及び読み出しの指示を上記諸動作に関連して実施する制御手段を成す。」（公報段落４２、４３）、
（２−５）「以上のようにして、バッファメモリを用いた圧縮オーディオブロックの間欠的な記録再生繰り返しによる動作が行われ、伸張後及び圧縮前のオーディオ情報が途切れることなく再生及び録音されることにより、実質的に再生及び録音の同時実行が可能となる。」（公報段落７５）、
（２−６）「本実施例においてはオーディオ情報を扱う例で説明したが、画像情報やその他の視覚的或は聴覚的な連続情報を扱う場合においても本発明が適用できることは明白である。更に、本実施例では圧縮されたオーディオ情報を用いた例で説明したがそれに限定されるものではなく、基本的にはバッファメモリの書き込み側と読み出し側に情報転送速度の差があれば、種々の形態で適用可能である。」（公報段落７７）と記載されている。
　
［３］本願発明と引用例との対比・判断
［３−１］　本願発明と引用例１に記載された発明とを対比すると、引用例１の「テレビ信号の受信部から入力される映像および音声信号」「テレビ信号の記録・再生装置」は、それぞれ本願発明の「受信したメディア情報」「情報機器」に相当している。
　引用例１の「記録ピックアップおよび再生ピックアップ」は、本願発明の「ヘッド部」に相当する。
　引用例１の記録ピックアップおよび再生ピックアップは、ＣＰＵにより駆動されるので、実質的にヘッド部の位置付け部を備えている。
　引用例１に記載された発明において、記録指令手段は、テレビジョンから離れる視聴者の指示に基づいて、上記記録・再生部の記録動作を開始させるので、引用例１に記載された発明は、本願発明の「記録開始信号の検出によりメディア情報を所定の記録開始位置からヘッド部により上記記録媒体に記録させる記録制御部」を実質的に備えている。
　引用例１に記載された発明において、再生指令手段は、テレビジョンに戻った視聴者の指示に基づいて、記録ピックアップにより記録された映像および音声信号を記録当初から再生するように、上記記録・再生部の再生動作を開始させ、ＣＰＵによりヘッドが駆動されるので、引用例１に記載された発明は、「メディア情報の記録媒体への記録中に再生開始信号を検出すると、ヘッド部を記録開始位置に移動させて記録済みのメディア情報の読み取りを上記ヘッド部により実行させると共に、この読み取りと並行して記録媒体へのメディア情報の記録を継続させる制御手段」を実質的に備えている。
　よって、本願発明と引用例１に記載された発明は、
　「受信したメディア情報を記録媒体に記録すると共に該記録媒体に記録されたメディア情報を読み取って再生し、その再生されたメディア情報を表示装置等に出力する情報機器であって、
　メディア情報の記録と読み取りを行うヘッド部と、
　上記ヘッド部を読み取り位置または記録位置に移動させる位置付け部と、
　記録開始信号の検出によりメディア情報を所定の記録開始位置から上記ヘッド部により上記記録媒体に記録させる記録制御部と、
　メディア情報の上記記録媒体への記録中に再生開始信号を検出すると、ヘッド部を上記記録開始位置に移動させて記録済みのメディア情報の読み取りを上記ヘッド部により実行させると共に、この読み取りと並行して上記記録媒体へのメディア情報の記録を継続させる制御手段とを備えた情報機器。」
である点で共通し、以下の相違点で一応相違している。
　（相違点）本願発明は、バッファメモリを備え、メディア情報をバッファメモリを介してヘッド部により記録媒体に記録させ、記録済みのメディア情報の読み取りをバッファメモリを介してヘッド部により実行させ、記録中に再生開始信号を検出すると、バッファメモリへの記録を中断することなく上記ヘッド部をその時の記録位置から上記記録開始位置に移動させるよう制御されるのに対し、引用例１に記載された発明では、バッファメモリを備えず、ヘッド部が、記録用と読み取り用のそれぞれヘッドを備えるものであって、記録中に再生開始が指令されると、記録用ヘッドは記録を継続し、読み取り用ヘッドは記録開始位置に移動させて読み取りを実行させるように制御される点。
　
［３−２］相違点についての判断
　引用例１に記載された発明は、中座して戻ってきた視聴者がテレビジョンを離れた時点以降の放映情報を連続して鑑賞することができるようにする課題の解決のために、テレビジョンに戻った視聴者の指示に基づいて、再生動作を実行させて、記録動作も継続させて行なうもので、再生動作と記録動作を同時に行うことで、課題を解決するものである。
　一方、再生動作と記録動作を同時に行なう手段として、入出力部とディスク状記録媒体との間にバッファメモリを介することにより、記録と読み取りを兼ねる単一のヘッドを備える記録再生部で、記録動作と再生動作を同時に実行させる手段は、引用例２に記載され公知である。
　そして、引用例２は、オーディオ情報のみでなく画像情報やその他の視覚的や聴覚的な連続情報を扱う場合に適用できる（上記（２−６）参照）ものであるから、引用例１に記載された発明において、そのメディア情報の記録再生部の構成に、再生動作と記録動作を同時に行なう引用例２の公知の手段を採用することは、当業者が容易になしうることであり、その際、記録動作から記録再生同時動作に移行するにあたり、ヘッドを記録位置から再生位置へ移動することやバッファメモリが記録を継続することは、当業者が適宜なしうる設計的事項にすぎず、上記相違点は、当業者が容易に想到しうることである。
　そして、出願人が主張する効果も、上記引用例１及び２から予測される範囲内のものである。
［４］むすび
　したがって、本願発明は、本願出願前に頒布された刊行物である引用例に記載された発明に基いて当業者が容易に発明をすることができたものであるから、本願発明は、特許法第２９条第２項の規定により特許を受けることができない。他の請求項に記載された発明について論及するまでもなく、本願は拒絶すべきものである。
　よって、結論のとおり審決する。